(57)【要約】【課題】複製が禁止された記録媒体を複製する必要がある場合に偽造させない範囲で複製させることができる記録媒体読取装置を提供すること。【解決手段】記録媒体に記録されたデータを読取るデータ読取手段１１１０と、記録媒体に付された情報格納媒体から記録媒体の種別を示す媒体種別情報を含む格納情報を読取る格納情報読取手段１１１１と、読取られたデータを改変するデータ改変手段１１２０と、データ改変手段１１２０による改変の処理を示す複数の改変処理情報を媒体種別情報と対応させて予め格納する改変処理情報格納手段１１３０と、格納情報読取手段１１１１によって読取られた格納情報に含まれる媒体種別情報に基づいて改変処理情報を選択する改変処理情報選択手段１１３１と、を備え、データ改変手段１１２０が、改変処理情報選択手段１１３１によって選択された改変処理情報を以ってデータを改変するようにする。【選択図】　図１
2004133761.tif 000002
【特許請求の範囲】
【請求項１】
記録媒体に記録されたデータを読取るデータ読取手段と、
前記記録媒体に付された情報格納媒体から前記記録媒体の種別を示す媒体種別情報を含む格納情報を読取る格納情報読取手段と、
前記データ読取手段によって読取られたデータを改変するデータ改変手段と、前記データ改変手段による改変の処理を示す複数の改変処理情報を前記媒体種別情報と対応させて予め格納する改変処理情報格納手段と、
前記格納情報読取手段によって読取られた格納情報に含まれる媒体種別情報に基づいて前記改変処理情報格納手段に格納された改変処理情報を選択する改変処理情報選択手段と、を備え、
前記データ改変手段が、前記改変処理情報選択手段によって選択された改変処理情報を以って前記データを改変するようにしたことを特徴とする記録媒体読取装置。
【請求項２】
記録媒体に記録されたデータを読取るデータ読取手段と、
前記記録媒体に付された情報格納媒体前記記録媒体の種別を示す媒体種別情報を含む格納情報を読取る格納情報読取手段と、
前記データ読取手段によって読取られたデータと前記格納情報読取手段によって読取られた格納情報とを対応させて格納するデータ情報格納手段と、
前記データ情報格納手段に格納されたデータから１つのデータを選択させるデータ選択手段と、
前記データ選択手段によって選択されたデータを改変するデータ改変手段と、前記データ改変手段による改変の処理を示す複数の改変処理情報を前記媒体種別情報と対応させて予め格納する改変処理情報格納手段と、
前記データ選択手段によって選択されたデータと対応して前記データ情報格納手段に格納された格納情報に含まれる媒体種別情報に基づいて前記改変処理情報格納手段に格納された改変処理情報を選択する改変処理情報選択手段と、を備え、
前記データ改変手段が、前記改変処理情報選択手段によって選択された改変処理情報を以って前記データ選択手段によって選択されたデータを改変するようにしたことを特徴とする記録媒体読取装置。
【請求項３】
前記改変処理情報格納手段に格納された複数の改変処理情報を含む改変処理格納情報を更新する改変処理更新手段と、
現在の日時を示す日時情報を生成する日時情報生成手段と、を備え、
前記改変処理情報格納手段が、前記改変処理格納情報の有効な日時を示す有効日時情報をさらに格納し、
前記日時情報生成手段によって生成された日時情報に示される日時が前記有効日時情報に示される日時を経過している場合には、前記改変処理情報選択手段が、予め定められた改変処理情報を選択するようにしたことをと特徴とする請求項１又は請求項２に記載の記録媒体読取装置。
【請求項４】
前記改変処理更新手段が、当該装置を識別するための装置識別情報を格納する装置識別情報格納部と、
前記改変処理情報格納手段に格納された改変処理格納情報の版を示す改変処理版情報を取得する改変処理版情報取得部と、
前記装置識別情報と前記改変処理版情報とをネットワークを介して送信する情報送信部と、
前記ネットワークを介して前記装置識別情報と前記改変処理版情報とに基づいて送信された新たな改変処理格納情報を受信する情報受信部と、
前記情報受信部によって受信された新たな改変処理格納情報を以って前記改変処理情報格納手段に格納された改変処理格納情報を更新する改変処理更新部と、を有したことを特徴とする請求項３に記載の記録媒体読取装置。
【請求項５】
前記改変処理更新手段が、前記情報送信部によって送信される装置識別情報と改変処理版情報とを暗号化する情報暗号化部と、
前記情報受信部によって受信された改変処理格納情報を復号化する情報復号化部と、を有したことを特徴とする請求項４に記載の記録媒体読取装置。
【請求項６】
前記改変処理更新手段が、前記日時情報生成手段によって生成された日時情報に示される現在日時が前記改変処理情報格納手段に格納された有効日時情報に示される有効日時を経過しているかを判定する日時判定部を有し、
前記現在日時が前記有効日時を経過したと判定された場合には、前記情報送信部が、前記装置識別情報と前記改変処理版情報とを送信するようにしたことを特徴とする請求項４又は請求項５に記載の記録媒体読取装置。
【発明の詳細な説明】
【０００１】
【産業上の利用分野】
本発明は、紙幣や有価証券等の記録媒体の偽造を防止する記録媒体読取装置に関するものである。
【０００２】
【従来の技術】
従来、紙幣や有価証券等の記録媒体の偽造を防止する技術としては、記録媒体に記録されたデータを記録媒体に付された電子回路チップに予め登録し、電子回路チップに登録されたデータと記録媒体から読取られたデータとを比較することによって偽造されたデータ記録媒体を検出する技術が知られている。
【０００３】
例えば、特許文献１には、紙幣や有価証券等の予め登録された記録媒体の画像データと読取られた記録媒体の画像データとを比較して判定された類似度に応じて読取られた記録媒体の画像データの処理を変更することによって不正な記録媒体の複製を防止する技術が開示されている。
【０００４】
また、特許文献２には、記録媒体に記録された可視情報を記録媒体に装着された電子回路チップに暗号化して格納し、記録媒体に記録された可視情報と記録媒体に格納されている情報とを比較し、記録媒体の真贋判定を行う技術が開示されている。
【０００５】
また、特許文献３及び特許文献４には、記録媒体を識別するための識別情報を記録媒体に装着された電子回路チップに格納すると共に、記録媒体に記録された情報を識別情報と対応させて情報管理センターに登録し、電子回路チップに格納された識別情報に基づいて情報管理センターに登録された情報を取得し、記録媒体の真贋判定を行う技術が開示されている。
【０００６】
また、特許文献５には、記録媒体の利用を許容するか禁止するかを示すロック情報と、ロック情報を変更するための暗号情報を電子回路チップに格納することによって記録媒体の不正利用を防止する技術が開示されている。
【０００７】
【特許文献１】
特開平６−１０５１３６号公報（段落番号００２０乃至００２７、図１）
【特許文献２】
国際公開第００／３４９２３号パンフレット（第４の実施例、図１０）
【特許文献３】
特開２００１−２０２４８６号公報（段落番号００２２乃至００２８、図３）
【特許文献４】
特開２００１−３５７３７７号公報（段落番号００７５乃至段落番号００７８、及び段落番号００８３乃至段落番号００８４、図３７及び図３８）
【特許文献５】
特開２００１−２６０５８０号公報（段落番号００１５乃至００２１、図１及び図２）
【０００８】
【発明が解決しようとする課題】
しかしながら、このような従来の技術では、複製が禁止された記録媒体に記録されたデータを読取ることが禁止されるため、記録媒体を複製する必要がある場合に対処できないという問題があった。
【０００９】
本発明は、このような問題を解決するためになされたもので、複製が禁止された記録媒体を複製する必要がある場合に偽造させない範囲で複製させることができる記録媒体読取装置を提供することを目的とする。
【００１０】
【課題を解決するための手段】
本発明の請求項１に係る記録媒体読取装置は、記録媒体に記録されたデータを読取るデータ読取手段と、前記記録媒体に付された情報格納媒体から前記記録媒体の種別を示す媒体種別情報を含む格納情報を読取る格納情報読取手段と、前記データ読取手段によって読取られたデータを改変するデータ改変手段と、前記データ改変手段による改変の処理を示す複数の改変処理情報を前記媒体種別情報と対応させて予め格納する改変処理情報格納手段と、前記格納情報読取手段によって読取られた格納情報に含まれる媒体種別情報に基づいて前記改変処理情報格納手段に格納された改変処理情報を選択する改変処理情報選択手段と、を備え、前記データ改変手段が、前記改変処理情報選択手段によって選択された改変処理情報を以って前記データを改変するように構成されている。
【００１１】
この構成により、記録媒体に記録されたデータを読取って出力する際に、記録媒体に付された情報格納媒体に格納された格納情報に基づいてデータを改変する制限を設けたため、複製が禁止された記録媒体を複製する必要がある場合に偽造させない範囲で複製させることができる。
【００１２】
本発明の請求項２に係る記録媒体読取装置は、記録媒体に記録されたデータを読取るデータ読取手段と、前記記録媒体に付された情報格納媒体前記記録媒体の種別を示す媒体種別情報を含む格納情報を読取る格納情報読取手段と、前記データ読取手段によって読取られたデータと前記格納情報読取手段によって読取られた格納情報とを対応させて格納するデータ情報格納手段と、前記データ情報格納手段に格納されたデータから１つのデータを選択させるデータ選択手段と、前記データ選択手段によって選択されたデータを改変するデータ改変手段と、前記データ改変手段による改変の処理を示す複数の改変処理情報を前記媒体種別情報と対応させて予め格納する改変処理情報格納手段と、前記データ選択手段によって選択されたデータと対応して前記データ情報格納手段に格納された格納情報に含まれる媒体種別情報に基づいて前記改変処理情報格納手段に格納された改変処理情報を選択する改変処理情報選択手段と、を備え、前記データ改変手段が、前記改変処理情報選択手段によって選択された改変処理情報を以って前記データ選択手段によって選択されたデータを改変するように構成されている。
【００１３】
この構成により、記録媒体から読取られたデータと記録媒体に付された情報格納媒体に格納された格納情報とを対応させて記憶媒体に格納し、格納されたデータを出力する際に、データに対応して格納された格納情報に基づいてデータを改変する制限を設けたため、複製が禁止された記録媒体を複製する必要がある場合に偽造させない範囲で複製させることができる。
【００１４】
本発明の請求項３に係る記録媒体読取装置は、請求項１又は請求項２において、前記改変処理情報格納手段に格納された複数の改変処理情報を含む改変処理格納情報を更新する改変処理更新手段と、現在の日時を示す日時情報を生成する日時情報生成手段と、を備え、前記改変処理情報格納手段が、前記改変処理格納情報の有効な日時を示す有効日時情報をさらに格納し、前記日時情報生成手段によって生成された日時情報に示される日時が前記有効日時情報に示される日時を経過している場合には、前記改変処理情報選択手段が、予め定められた改変処理情報を選択するように構成されている。
【００１５】
この構成により、請求項１又は請求項２の効果に加えて、改変処理格納情報に有効な日時を定め、改変処理格納情報の更新を促すため、複製が禁止された記録媒体の種類の増減に対応できる。
【００１６】
本発明の請求項４に係る記録媒体読取装置は、請求項３において、前記改変処理更新手段が、当該装置を識別するための装置識別情報を格納する装置識別情報格納部と、前記改変処理情報格納手段に格納された改変処理格納情報の版を示す改変処理版情報を取得する改変処理版情報取得部と、前記装置識別情報と前記改変処理版情報とをネットワークを介して送信する情報送信部と、前記ネットワークを介して前記装置識別情報と前記改変処理版情報とに基づいて送信された新たな改変処理格納情報を受信する情報受信部と、前記情報受信部によって受信された新たな改変処理格納情報を以って前記改変処理情報格納手段に格納された改変処理格納情報を更新する改変処理更新部と、を有している。
【００１７】
この構成により、請求項３の効果に加えて、ネットワークを介して改変処理格納情報を更新するため、遠隔地から改変処理格納情報を更新することができる。
【００１８】
本発明の請求項５に係る記録媒体読取装置は、請求項４において、前記改変処理更新手段が、前記情報送信部によって送信される装置識別情報と改変処理版情報とを暗号化する情報暗号化部と、前記情報受信部によって受信された改変処理格納情報を復号化する情報復号化部と、を有している。
【００１９】
この構成により、請求項４の効果に加えて、改変処理格納情報を更新するために送受信される情報を暗号化するため、送受信される情報の漏洩を抑止することができる。
【００２０】
本発明の請求項６に係る記録媒体読取装置は、請求項４又は請求項５において、前記改変処理更新手段が、前記日時情報生成手段によって生成された日時情報に示される現在日時が前記改変処理情報格納手段に格納された有効日時情報に示される有効日時を経過しているかを判定する日時判定部を有し、前記現在日時が前記有効日時を経過したと判定された場合には、前記情報送信部が、前記装置識別情報と前記改変処理版情報とを送信するように構成されている。
【００２１】
この構成により、請求項４又は請求項５の効果に加えて、改変処理格納情報の有効な日時の経過を検出して、改変処理格納情報を更新するため、最新の改変処理格納情報を保持することができる。
【００２２】
【発明の実施の形態】
以下、本発明の実施の形態を図面を参照して説明する。
（第１の実施の形態）
図１は、本発明の第１の実施の形態に係る複写機１０００の構成を示すブロック図である。
複写機１０００は、記録媒体に記録された画像を読取る記録媒体読取装置１１００と、読取られた画像を記録する画像記録装置１２００と、を備えている。
【００２３】
記録媒体読取装置１１００は、データ読取手段１１１０と、格納情報読取手段１１１１と、データ改変手段１１２０と、改変処理情報格納手段１１３０と、改変処理情報選択手段１１３１と、を備えている。
【００２４】
データ読取手段１１１０は、スキャナによって構成され、記録媒体に記録された画像を読取り、読取った画像に基づいて画像データを生成し、生成された画像データをデータ改変手段１１２０に出力するようになっている。
【００２５】
格納情報読取手段１１１１は、電子回路チップに向けて電波を送出し、送出された電波によって駆動された電子回路チップによって送出される情報を受信することによって電子回路チップに格納された情報を読取るＩＣリーダ装置によって構成され、記録媒体に付された電子回路チップよりなる情報格納媒体より格納情報を読取り、読取られた格納情報を改変処理情報選択手段１１３１及びデータ改変手段１１２０に出力するようになっている。
ここで、格納情報には、株券、債券、紙幣、トラベラーズチェック又は機密書類等の記録媒体の種別を示す媒体種別情報を含んでいる。
【００２６】
データ読取手段１１１０によって出力された画像データ、格納情報読取手段１１１１によって読取られた格納情報、及び改変処理情報選択手段１１３１によって出力された改変処理情報を示す情報は、データ改変手段１１２０に入力されるようになっており、データ改変手段１１２０は、入力された画像データを入力された情報に示された改変処理情報に基づいて改変し、改変された画像データと入力された格納情報とを画像記録装置１２００に出力するようになっている。
ここで、改変処理情報は、データ改変手段１１２０による画像データの改変処理がコード化されたものである。
【００２７】
データ改変手段１１２０による画像データの改変は、画像データの色情報もしくは画像データのサイズの改変、画像の解像度の改変、又はデータの付加を行う。
ここで、画像データの色情報の改変は、所定の色成分の消去処理、カラー画像のグレースケール化処理もしくは２値化処理、又は予め定められた所定色での塗りつぶし処理によって行われる。また、画像データにデータを付加する改変は、例えば、「見本」という画像データを付加する等、画像記録装置１２００によって記録される画像と記録媒体に記録されている画像とが目視で識別可能できるように画像が付加される。
【００２８】
改変処理情報格納手段１１３０は、データ改変手段１１２０による画像データの改変処理がコード化された改変処理情報、及び前述した媒体種別情報と改変処理情報との対応を示す種別コード対応表によって構成される改変処理格納情報を格納するようになっている。
【００２９】
図２は、改変処理情報格納手段１１３０に格納された改変処理格納情報の説明図であり、図２（ａ）は、改変処理情報の説明図であり、図２（ｂ）は、種別コード対応表の説明図である。
【００３０】
図２（ａ）において、列２１０は、改変処理情報の改変処理情報格納手段１１３０における格納アドレスを示している。列２２０は、格納アドレスに格納されている改変処理情報を示している。
図２（ｂ）において、列２３０は、媒体種別情報を示している。列２４０は、媒体種別情報に対応した改変処理情報の格納アドレスを示している。
【００３１】
なお、改変処理情報格納手段１１３０には、図示しない操作部によって利用者が新たな改変処理情報及び種別コード対応表を格納できるようにしてもよい。利用者が新たな改変処理情報及び種別コード対応表を格納できるようにした場合には、利用者が新たに格納した改変処理情報及び種別コード対応表には、操作部による消去及び更新等の編集を許容する編集許可情報が付加され、利用者は、編集許可情報が付加されていない改変処理情報及び種別コード対応表は、前述した編集ができないようにする。
【００３２】
格納情報読取手段１１１１によって読取られた格納情報は、改変処理情報選択手段１１３１に入力されるようになっており、改変処理情報選択手段１１３１は、入力された格納情報に含まれる媒体種別情報に基づいて改変処理情報格納手段１１３０に格納された改変処理情報を選択し、選択された改変処理情報を示す情報をデータ改変手段１１２０に出力するようになっている。
【００３３】
ここで、改変処理情報格納手段１１３０に媒体種別情報に基づいた改変処理情報が格納されていない場合には、改変処理情報選択手段１１３１は、改変処理情報格納手段１１３０に格納された所定の改変処理情報、すなわちディフォルト処理情報を選択するようになっている。すなわち、図２（ａ）において、改変処理情報選択手段１１３１は、Ｘで示される格納アドレスに格納されているディフォルト処理情報を選択するようになっている。
【００３４】
前述したディフォルト処理情報は、図２（ａ）に示したように画像データを改変しない処理にしてもよいし、データ改変手段１１２０に画像データを出力させない処理にしてもよい。ディフォルト処理情報をデータ改変手段１１２０に画像データを出力させない処理にした場合には、複製が禁止された新たな種別の記録媒体が複製されてしまうことを防止できる。
【００３５】
なお、改変処理情報選択手段１１３１は、図示しないキーボード装置等の入力装置によって、画像データを改変する際のパスワードを入力させ、入力されたパスワードに応じて選択する改変コードを切り換えるようにしてもよい。
【００３６】
改変処理情報選択手段１１３１が、パスワードに応じて選択する改変コードを切り換える場合には、改変処理情報格納手段１１３０に格納される種別コード対応表は、２つの媒体種別情報を有する。すなわち、図２（ｂ）において、改変処理情報選択手段１１３１は、列２４０の他に媒体種別情報に対応した改変処理情報の格納アドレスを示す他の列を有し、入力されたパスワードが認証された場合には、改変処理情報選択手段１１３１は、列２４０に示される媒体種別情報を選択し、入力されたパスワードが認証されない場合には、前述した他の列に示される媒体種別情報を選択する。
【００３７】
画像記録装置１２００は、図示しない画像処理部を備え、画像処理部は、階調処理や色変換等の画像データの調節を行うようになっている。
データ改変手段１１２０によって出力された画像データ及び格納情報は、画像記録装置１２００に入力されるようになっており、画像記録装置１２００は、入力された画像データに基づいて記録対象であるデータ記録媒体に画像を記録すると共に、格納情報読取手段１１１１によって読取られた記録媒体情報を記録対象となるデータ記録媒体に付された情報格納媒体に格納するようになっている。
【００３８】
以下、記録媒体読取装置１１００の動作をフローチャートを参照して説明する。
図３は、記録媒体読取装置１１００の画像データ出力動作を示すフローチャートである。
【００３９】
まず、記録媒体に記録された画像がデータ読取手段１１１０によって読取られ、画像データが生成される（Ｓ３１０）。
次に、情報格納媒体に格納された格納情報が、格納情報読取手段１１１１によって読取られる（Ｓ３２０）。
【００４０】
次に、格納情報読取手段１１１１によって読取られた格納情報に含まれる媒体種別情報に基づいて、改変処理情報格納手段１１３０に格納された改変処理情報が改変処理情報選択手段１１３１によって選択され（Ｓ３３０）、改変処理情報が選択されなかったとき（Ｓ３４０）には、所定の改変処理情報、すなわちディフォルト処理情報が選択され（Ｓ３５０）、選択された改変処理情報を以ってデータ読取手段１１１０によって生成された画像データがデータ改変手段１１２０によって改変される（Ｓ３６０）。
【００４１】
なお、データ改変手段１１２０によって改変された画像データは、画像記録装置１２００によって前述したように調節され、調節された画像データに基づいて記録対象となる記録媒体に画像が記録され、格納情報が記録対象となるデータ記録媒体に付された情報格納媒体に格納される。
【００４２】
以上に説明したように、記録媒体読取装置１１００によれば、記録媒体に記録されたデータを読取って出力する際に、記録媒体に付された情報格納媒体に格納された格納情報に基づいてデータを改変する制限を設けたため、複製が禁止された記録媒体を複製する必要がある場合に画像記録装置１２００に偽造させない範囲で複製させることができる。
【００４３】
（第２の実施の形態）
図４は、本発明の第２の実施の形態に係る複写機４０００の構成を示すブロック図である。
複写機４０００は、記録媒体に記録された画像を読取る記録媒体読取装置４１００と、読取られた画像を記録する画像記録装置１２００と、を備えている。
【００４４】
なお、本発明の第２の実施の形態に係る複写機４０００においては、本発明の第１の実施の形態に係る複写機１０００の構成要素と同一の構成要素に本発明の第１の実施の形態に係る複写機１０００の構成要素と同一の符号を付して、その説明を省略する。
【００４５】
記録媒体読取装置４１００は、データ読取手段４１１０と、格納情報読取手段４１１１と、データ改変手段１１２０と、改変処理情報格納手段１１３０と、改変処理情報選択手段１１３１と、データ情報格納手段４１４０と、データ選択手段４１４１と、から構成され、記録媒体から読取った画像データと記録媒体に付された情報格納媒体から読取った格納情報とをデータ情報格納手段４１４０に格納するようになっている。
【００４６】
なお、本発明の第２の実施の形態に係る記録媒体読取装置４１００においては、本発明の第１の実施の形態に係る記録媒体読取装置１１００の構成要素と同一の構成要素に本発明の第１の実施の形態に係る記録媒体読取装置１１００の構成要素と同一の符号を付して、その説明を省略する。
【００４７】
データ読取手段４１１０は、スキャナによって構成され、記録媒体に記録された画像を読取り、読取った画像に基づいて画像データを生成し、生成された画像データをデータ情報格納手段４１４０に出力するようになっている。
【００４８】
格納情報読取手段４１１１は、電子回路チップに向けて電波を送出し、送出された電波によって駆動された電子回路チップによって送出される情報を受信することによって電子回路チップに格納された情報を読取るＩＣリーダ装置によって構成され、記録媒体に付された電子回路チップよりなる情報格納媒体より格納情報を読取り、読取られた格納情報をデータ情報格納手段４１４０に出力するようになっている。
【００４９】
データ読取手段４１１０によって出力された画像データ及び格納情報読取手段４１１１によって出力された格納情報は、データ情報格納手段４１４０に入力されるようになっており、データ情報格納手段４１４０は、入力された画像データを入力された格納情報と対応させて格納するようになっている。
【００５０】
データ選択手段４１４１は、ディスプレイ装置とキーボード装置又はポインティング装置等の入力装置とによって構成され、データ情報格納手段４１４０に格納された画像データから１つの画像データを選択させ、選択された画像データ及び選択された画像データに対応する格納情報を取得し、取得された画像データをデータ改変手段１１２０に出力し、取得された改変処理情報選択手段１１３１に出力するようになっている。
【００５１】
以下、記録媒体読取装置４１００の動作をフローチャートを参照して説明する。
図５は、記録媒体読取装置４１００の画像読取り動作を示すフローチャートである。なお、記録媒体読取装置４１００の画像読取り動作において、本発明の第１の実施の形態で説明した記録媒体読取装置１１００の画像データ出力動作におけるステップと同様のステップには、同一の符号が付してある。
【００５２】
まず、記録媒体に記録された画像がデータ読取手段４１１０によって読取られ、画像データが生成される（Ｓ３１０）。
次に、情報格納媒体に格納された格納情報が、格納情報読取手段４１１１によって読取られる（Ｓ３２０）。
次に、データ読取手段４１１０によって生成された画像データと格納情報読取手段４１１１によって読取られた格納情報とが、対応するようにデータ情報格納手段４１４０に格納される（Ｓ５３０）。
【００５３】
図６は、記録媒体読取装置４１００の画像データ出力動作を示すフローチャートである。なお、記録媒体読取装置４１００の画像データ出力動作において、本発明の第１の実施の形態で説明した記録媒体読取装置１１００の画像データ出力動作におけるステップと同様のステップには、同一の符号が付してある。
【００５４】
まず、データ情報格納手段４１４０に格納された画像データがデータ選択手段４１４１によって選択され（Ｓ６１０）、選択された画像データと選択された画像データに対応した格納情報がデータ選択手段４１４１によってデータ情報格納手段４１４０から取得される（Ｓ６２０）。
【００５５】
次に、データ選択手段４１４１によって取得された格納情報に含まれる媒体種別情報に基づいて、改変処理情報格納手段１１３０に格納された改変処理情報が改変処理情報選択手段１１３１によって選択され（Ｓ３３０）、改変処理情報が選択されなかったとき（Ｓ３４０）には、所定の改変処理情報、すなわちディフォルト処理情報が選択され（Ｓ３５０）、選択された改変処理情報を以ってデータ選択手段４１４１によって取得された画像データがデータ改変手段１１２０によって改変される（Ｓ３６０）。
【００５６】
以上に説明したように、記録媒体読取装置４１００によれば、記録媒体から読取られたデータと記録媒体に付された情報格納媒体に格納された格納情報とを対応させて記憶媒体に格納し、格納されたデータを出力する際に、データに対応して格納された格納情報に基づいてデータを改変する制限を設けたため、複製が禁止された記録媒体を複製する必要がある場合に画像記録装置１２００に偽造させない範囲で複製させることができる。
【００５７】
（第３の実施の形態）
図７は、本発明の第３の実施の形態に係る複写機７０００の構成を示すブロック図である。
複写機７０００は、記録媒体に記録された画像を読取る記録媒体読取装置７１００と、読取られた画像を記録する画像記録装置１２００と、を備えている。
【００５８】
なお、本発明の第３の実施の形態に係る複写機７０００においては、本発明の第１の実施の形態に係る複写機１０００の構成要素と同一の構成要素に本発明の第１の実施の形態に係る複写機１０００の構成要素と同一の符号を付して、その説明を省略する。
【００５９】
記録媒体読取装置７１００は、本発明の第１の実施の形態に係る記録媒体読取装置１１００の構成要素に加えて、前述した改変処理格納情報を更新できるようにしたものであり、データ読取手段１１１０と、格納情報読取手段１１１１と、データ改変手段１１２０と、改変処理情報格納手段７１３０と、改変処理情報選択手段７１３１と、改変処理情報更新手段７１５０と、日時情報生成手段７１６０と、を備えている。
【００６０】
なお、本発明の第３の実施の形態に係る記録媒体読取装置７１００においては、本発明の第１の実施の形態に係る記録媒体読取装置１１００の構成要素と同一の構成要素に本発明の第１の実施の形態に係る記録媒体読取装置１１００の構成要素と同一の符号を付して、その説明を省略する。
【００６１】
改変処理情報格納手段７１３０は、データ改変手段１１２０による画像データの改変処理がコード化された改変処理情報、及び前述した媒体種別情報と改変処理情報との対応を示す種別コード対応表によって構成される改変処理格納情報及び改変処理格納情報の有効な日時を示す有効日時情報を格納するようになっている。
【００６２】
日時情報生成手段７１６０は、現在の日時を示す日時情報を生成し、生成された日時情報を改変処理情報選択手段７１３１及び改変処理情報更新手段７１５０に出力するようになっている。
【００６３】
改変処理情報選択手段７１３１は、本発明の第１の実施の形態で説明した記録媒体読取装置１１００を構成する改変処理情報選択手段１１３１の構成に加えて、改変処理情報格納手段７１３０に格納された有効日時情報に示される日時が日時情報生成手段７１６０によって生成された日時情報に示される日時を経過している場合には、本発明の第１の実施の形態で説明したディフォルト処理情報を選択するようになっている。
【００６４】
図８は、本発明の第３の実施の形態に係る改変処理情報更新手段７１５０の構成を詳細に示すブロック図である。
改変処理情報更新手段７１５０は、日時判定部７１５１と、装置識別情報格納部７１５２と、改変処理版情報取得部７１５３と、情報暗号化部７１５４と、情報送信部７１５５と、情報受信部７１５６と、情報復号化部７１５７と、改変処理更新部７１５８と、を備えている。
【００６５】
日時情報生成手段７１６０によって出力された日時情報は、日時判定部７１５１に入力されるようになっており、日時判定部７１５１は、入力された日時情報に示される現在日時が改変処理情報格納手段７１３０に格納された有効日時情報に示される有効日時を経過しているか否かを判定し、現在日時が有効日時を経過していると判定されたときには、現在日時が有効日時を経過している旨を示す、有効日時経過信号を情報送信部７１５５に出力するようになっている。
【００６６】
装置識別情報格納部７１５２は、書込みが禁止された不揮発性の記憶媒体によって構成され、記録媒体読取装置７１００を識別するための装置識別情報を予め格納するようになっている。
【００６７】
改変処理版情報取得部７１５３は、改変処理情報格納手段７１３０に格納された改変処理格納情報の版を示す改変処理版情報を取得し、取得された改変処理版情報を情報暗号化部７１５４に出力するようになっている。
【００６８】
改変処理版情報取得部７１５３によって出力された改変処理版情報は、情報暗号化部７１５４に入力されるようになっており、情報暗号化部７１５４は、入力された改変処理版情報と装置識別情報格納部７１５２に格納された装置識別情報とを暗号化し、暗号化された暗号化情報を情報送信部７１５５に出力するようになっている。
【００６９】
日時判定部７１５１によって出力された有効日時経過信号及び情報暗号化部７１５４によって出力された暗号化情報は、情報送信部７１５５に入力されるようになっており、情報送信部７１５５は、入力された有効日時経過信号に応じて入力された暗号化情報をネットワーク８０を介して所定の管理機関に送信するようになっている。
【００７０】
ここで、所定の管理機関は、記録媒体読取装置７１００の供給機関や記録媒体読取装置７１００の管理機関であり、所定の管理機関に設置された図示しない改変処理情報管理装置は、記録媒体読取装置７１００によって送信された暗号化情報を受信し、受信された暗号化情報に含まれる改変処理版情報及び装置識別情報に基づいて、記録媒体読取装置７１００の改変処理情報格納手段７１３０に格納された改変処理格納情報を更新する必要があるか否かを判定し、更新する必要があると判定された場合には、新たな改変処理格納情報を暗号化し、記録媒体読取装置７１００にネットワーク８０を介して送信するようになっている。
【００７１】
情報受信部７１５６は、所定の管理機関に設置された改変処理情報管理装置によって暗号化されて送信された新たな改変処理格納情報を受信し、受信された改変処理格納情報を情報復号化部７１５７に出力するようになっている。
【００７２】
情報受信部７１５６によって出力された改変処理格納情報は、情報復号化部７１５７に入力されるようになっており、情報復号化部７１５７は、入力された改変処理格納情報を復号化し、復号化された改変処理格納情報を改変処理更新部７１５８に出力するようになっている。
【００７３】
情報復号化部７１５７によって出力された改変処理格納情報は、改変処理更新部７１５８に入力されるようになっており、改変処理更新部７１５８は、入力された改変処理格納情報を以って改変処理情報格納手段７１３０に格納された改変処理格納情報を更新するようになっている。
【００７４】
なお、改変処理情報更新手段７１５０は、改変処理情報格納手段７１３０に格納された改変処理格納情報の更新の契機を日時判定部７１５１によって得るが、図示しない操作部によって契機を入力させるようにしてもよいし、前述した所定の管理機関によって契機を示す情報がネットワーク８０を介して送信されるようにしてもよい。
【００７５】
次に、記録媒体読取装置７１００の動作をフローチャートに基づいて説明する。なお、記録媒体読取装置７１００の画像読取り動作は、本発明の第１の実施の形態で説明した記録媒体読取装置１１００の画像読取り動作と同一であるため、その説明を省略する。
【００７６】
図９は、記録媒体読取装置７１００の改変処理格納情報の更新動作を示すフローチャートである。
まず、日時情報生成手段７１６０によって生成された日時情報に示される日時が改変処理情報格納手段７１３０に格納された有効日時情報に示される有効日時を経過しているか否かが日時判定部７１５１によって判定される（Ｓ９１０）。
【００７７】
日時判定部７１５１によって現在日時が有効日時を経過していると判定されたとき、改変処理版情報取得部７１５３によって改変処理情報格納手段７１３０に格納された改変処理格納情報の版を示す改変処理版情報が取得され（Ｓ９２０）、取得された改変処理版情報と装置識別情報格納部７１５２に格納された装置識別情報とが暗号化され（Ｓ９３０）、暗号化された暗号化情報は、情報送信部７１５５によってネットワーク８０を介して前述した所定の管理機関に送信される（Ｓ９４０）。
【００７８】
暗号化情報に含まれる改変処理版情報及び装置識別情報に基づいて所定の管理機関より暗号化されて送信された新たな改変処理格納情報は、情報受信部７１５６によって受信され（Ｓ９５０）、情報復号化部７１５７によって復号化され（Ｓ９６０）、復号化された改変処理格納情報を以って改変処理情報格納手段７１３０に格納された改変処理格納情報が改変処理更新部７１５８によって更新される（Ｓ９７０）。
【００７９】
以上に説明したように、記録媒体読取装置７１００によれば、改変処理格納情報に有効な日時を定め、改変処理格納情報の更新を促すため、複製が禁止された記録媒体の種類の増減に対応できる。
また、記録媒体読取装置７１００によれば、ネットワークを介して改変処理格納情報を更新するため、遠隔地から改変処理格納情報を更新することができる。
【００８０】
また、記録媒体読取装置７１００によれば、改変処理格納情報を更新するために送受信される情報を暗号化するため、送受信される情報の漏洩を抑止することができる。
また、記録媒体読取装置７１００によれば、改変処理格納情報の有効な日時の経過を検出して、改変処理格納情報を更新するため、最新の改変処理格納情報を保持することができる。
【００８１】
なお、本発明は、本発明の第２の実施の形態で説明した記録媒体読取装置４１００を構成する構成要素に加えて、改変処理情報更新手段７１５０を備え、改変処理格納情報を更新することができるが、本発明の第３の実施の形態に係る記録媒体読取装置７１００に基づいて容易に実施できるため、その説明を省略する。
【００８２】
【発明の効果】
本発明によれば、複製が禁止された記録媒体を複製する必要がある場合に偽造させない範囲で複製させることができる記録媒体読取装置を提供することができる。
【図面の簡単な説明】
【図１】本発明の第１の実施の形態に係る複写機の構成を示すブロック図である。
【図２】本発明に係る改変処理格納情報の説明図である。
【図３】本発明の第１の実施の形態に係る記録媒体読取装置の画像データ出力動作を示すフローチャートである。
【図４】本発明の第２の実施の形態に係る複写機の構成を示すブロック図である。
【図５】本発明の第２の実施の形態に係る記録媒体読取装置の画像読取り動作を示すフローチャートである。
【図６】本発明の第２の実施の形態に係る記録媒体読取装置の画像データ出力動作を示すフローチャートである。
【図７】本発明の第３の実施の形態に係る複写機の構成を示すブロック図である。
【図８】本発明の第３の実施の形態に係る改変処理情報更新手段の構成を詳細に示すブロック図である。
【図９】本発明の第３の実施の形態に係る記録媒体読取装置の改変処理格納情報の更新動作を示すフローチャートである。
【符号の説明】
８０　ネットワーク
２１０、２２０、２３０　列
１０００、４０００、７０００　複写機
１１００、４１００、７１００　記録媒体読取装置
１１１０、４１１０　データ読取手段
１１１１、４１１１　格納情報読取手段
１１２０　データ改変手段
１１３０、７１３０　改変処理情報格納手段
１１３１、７１３１　改変処理情報選択手段
１２００　画像記録装置
４１４０　データ情報格納手段
４１４１　データ選択手段
７１５０　改変処理情報更新手段
７１５１　日時判定部
７１５２　装置識別情報格納部
７１５３　改変処理版情報取得部
７１５４　情報暗号化部
７１５５　情報送信部
７１５６　情報受信部
７１５７　情報復号化部
７１５８　改変処理更新部
７１６０　日時情報生成手段
【図１】
2004133761.tif 000003
【図２】
2004133761.tif 000004
【図３】
2004133761.tif 000005
【図４】
2004133761.tif 000006
【図５】
2004133761.tif 000007
【図６】
2004133761.tif 000008
【図７】
2004133761.tif 000009
【図８】
2004133761.tif 000010
【図９】
2004133761.tif 000011